(57)【特許請求の範囲】
【請求項１】
少なくとも第１の内部の導体、第２の内部の導体、および外部導体シールドを含むケーブルを通したデータ通信の方法であって、
１つまたは複数のチャネル品質インジケータを受信することと、
前記第２の内部の導体を使用することなしに前記第１の内部の導体および前記導体シールドを使用して第１のデータ信号を送信することと、そして、
前記導体シールドと前記第２の内部の導体を使用して第２のデータ信号を送信することと、
ここにおいて、前記第１のデータ信号および前記第２のデータ信号は、前記１つまたは複数のチャネル品質インジケータに少なくとも部分的に基づいて送信される、
ここにおいて、前記１つまたは複数のチャネル品質インジケータは、チャネル状況についてのフィードバックを提供し、前記フィードバックは、前記第１のデータ信号および前記第２のデータ信号の間の相対位相についての情報を包含する、
を備える、前記方法。
【請求項２】
前記第１のおよび第２のデータ信号は、同時に送信される、請求項１に記載の方法。
【請求項３】
前記第２のデータ信号を送信することは、
前記第１のおよび第２の内部の導体を使用して前記第２のデータ信号を送信すること、
を備える、請求項１に記載の方法。
【請求項４】
前記第２のデータ信号は、差動信号であり、およびここにおいて、前記第１のデータ信号は、シングル‐エンド信号である、請求項３に記載の方法。
【請求項５】
前記第１のデータ信号は、前記第１の内部の導体および前記導体シールドの間の第１の電圧差を適用することによって送信され、ここにおいて、前記第２のデータ信号は、前記第１のおよび第２の内部の導体の間の第２の電圧差を適用することによって送信される、請求項３に記載の方法。
【請求項６】
前記第２のデータ信号を送信することは、
前記第２の内部の導体および前記導体シールドを使用して前記第２のデータ信号を送信すること、
を備える、請求項１に記載の方法。
【請求項７】
前記第１のおよび第２のデータ信号は、シングル‐エンド信号である、請求項６に記載の方法。
【請求項８】
前記第１のデータ信号は、前記第１の内部の導体および前記導体シールドの間の第１の電圧差を適用することによって送信され、およびここにおいて、前記第２のデータ信号は、前記第２の内部の導体および前記導体シールドの間の第２の電圧差を適用することによって送信される、請求項７に記載の方法。
【請求項９】
前記第１のおよび第２の内部の導体を介して送信されるためのデータのセットを、入力として受信することと、
データの第１のサブセットおよびデータの第２のサブセットにデータの前記セットを区切ることと、そして、
それぞれ、データの前記第１のおよび第２のサブセットに基づいて前記第１のおよび第２のデータ信号を生成すること、
をさらに備える、請求項１に記載の方法。
【請求項１０】
少なくとも第１の内部の導体、第２の内部の導体、および外部導体シールドを含むケーブルを通したデータ通信の方法であって、
前記第２の内部の導体でなく前記第１の内部の導体および前記導体シールドを介して第１のデータ信号を受信することと、そして、
前記導体シールドと前記第２の内部の導体を使用して第２のデータ信号を受信することと、
ここにおいて、前記第１のデータ信号および前記第２のデータ信号は、１つまたは複数のチャネル品質インジケータに少なくとも部分的に基づく、
ここにおいて、前記１つまたは複数のチャネル品質インジケータは、チャネル状況についてのフィードバックを提供し、前記フィードバックは、前記第１のデータ信号および前記第２のデータ信号の間の相対位相についての情報を包含する、
を備える、前記方法。
【請求項１１】
前記第１のおよび第２のデータ信号は、同時に受信される、請求項１０に記載の方法。
【請求項１２】
前記第２のデータ信号を受信することは、
前記第１のおよび第２の内部の導体を介して前記第２のデータ信号を受信すること、
を備える、請求項１０に記載の方法。
【請求項１３】
前記第２のデータ信号は、差動信号であり、およびここにおいて、前記第１のデータ信号は、シングル‐エンド信号である、請求項１２に記載の方法。
【請求項１４】
前記第１のデータ信号は、前記第１の内部の導体および前記導体シールドの間の第１の電圧差を検出することによって受信され、およびここにおいて、前記第２のデータ信号は、前記第１のおよび第２の内部の導体の間の第２の電圧差を検出することによって受信される、請求項１２に記載の方法。
【請求項１５】
前記第２のデータ信号を受信することは、
前記第２の内部の導体および前記導体シールドを介して前記第２のデータ信号を受信すること、
を備える、請求項１０に記載の方法。
【請求項１６】
前記第１のおよび第２のデータ信号は、シングル‐エンド信号である、請求項１５に記載の方法。
【請求項１７】
前記第１のデータ信号は、前記第１の内部の導体および前記導体シールドの間の第１の電圧差を検出することによって受信され、ここにおいて、前記第２のデータ信号は、前記第２の内部の導体および前記導体シールドの間の第２の電圧差を検出することによって受信される、請求項１６に記載の方法。
【請求項１８】
それぞれ、データの第１のサブセットおよびデータの第２のサブセットを回復するために前記第１のデータ信号および前記第２のデータ信号を復号化することと、そして、
単一のデータストリームを作るためにデータの前記第１のサブセットおよびデータの前記第２のサブセットを組み合わせることと、
をさらに備える、請求項１０に記載の方法。
【請求項１９】
通信デバイスであって、
ケーブルに結合される符号器
を備え、前記ケーブルは、少なくとも第１の内部の導体、第２の内部の導体、および外部導体シールドを含み、ここにおいて、前記符号器は、
１つまたは複数のチャネル品質インジケータを受信することと、
前記第２の内部の導体を使用することなしに前記第１の内部の導体および前記導体シールドを使用して第１のデータ信号を送信することと、そして、
前記導体シールドと前記第２の内部の導体を使用して第２のデータ信号を送信することと、
ここにおいて、前記第１のデータ信号および前記第２のデータ信号は、前記１つまたは複数のチャネル品質インジケータに少なくとも部分的に基づいて送信される、
ここにおいて、前記１つまたは複数のチャネル品質インジケータは、チャネル状況についてのフィードバックを提供し、前記フィードバックは、前記第１のデータ信号および前記第２のデータ信号の間の相対位相についての情報を包含する、
を行う、デバイス。
【請求項２０】
前記符号器は、同時に前記第１のおよび第２のデータ信号を送信する、請求項１９に記載のデバイス。
【請求項２１】
前記符号器は、前記第１のおよび第２の内部の導体を使用して前記第２のデータ信号を送信し、ここにおいて、前記第２のデータ信号は、差動信号であり、およびここにおいて、前記第１のデータ信号は、シングル‐エンド信号である、請求項１９に記載のデバイス。
【請求項２２】
前記符号器は、前記第１の内部の導体および前記導体シールドの間の第１の電圧差を適用することによって前記第１のデータ信号を送信し、およびここにおいて、前記符号器は、前記第１のおよび第２の内部の導体の間の第２の電圧差を適用することによって前記第２のデータ信号を送信する、請求項２１に記載のデバイス。
【請求項２３】
前記符号器は、前記第２の内部の導体および前記導体シールドを使用して前記第２のデータ信号を送信し、およびここにおいて、前記第１のおよび第２のデータ信号は、シングル‐エンド信号である、請求項１９に記載のデバイス。
【請求項２４】
前記符号器はさらに、
前記第１のおよび第２の内部の導体を介して送信されるためのデータのセットを、入力として受信することと、
データの第１のサブセットおよびデータの第２のサブセットにデータの前記セットを区切ることと、そして、
それぞれ、データの前記第１のおよび第２のサブセットに基づいて前記第１のおよび第２のデータ信号を生成することと、
を行う、請求項１９に記載のデバイス。
【請求項２５】
通信デバイスであって、
ケーブルに結合される復号器
を備え、前記ケーブルは、少なくとも第１の内部の導体、第２の内部の導体、および外部導体シールドを含み、ここにおいて、前記復号器は、
前記第２の内部の導体でなく前記第１の内部の導体および前記導体シールドを介して第１のデータ信号を受信することと、そして、
前記導体シールドと前記第２の内部の導体を介して第２のデータ信号を受信することと、
ここにおいて、前記第１のデータ信号および前記第２のデータ信号は、１つまたは複数のチャネル品質インジケータに少なくとも部分的に基づく、
ここにおいて、前記１つまたは複数のチャネル品質インジケータは、チャネル状況についてのフィードバックを提供し、前記フィードバックは、前記第１のデータ信号および前記第２のデータ信号の間の相対位相についての情報を包含する、
を行う、デバイス。
【請求項２６】
前記復号器は、同時に前記第１のおよび第２のデータ信号を受信する、請求項２５に記載のデバイス。
【請求項２７】
前記復号器は、前記第１のおよび第２の内部の導体を介して前記第２のデータ信号を受信し、ここにおいて、前記第２のデータ信号は、差動信号であり、およびここにおいて、前記第１のデータ信号は、シングル‐エンド信号である、請求項２５に記載のデバイス。
【請求項２８】
前記復号器は、前記第１の内部の導体および前記導体シールドの間の第１の電圧差を検出することによって前記第１のデータ信号を受信し、およびここにおいて、前記復号器は、前記第１のおよび第２の内部の導体の間の第２の電圧差を検出することによって前記第２のデータ信号を受信する、請求項２７に記載のデバイス。
【請求項２９】
前記復号器は、前記第２の内部の導体および前記導体シールドを介して前記第２のデータ信号を受信し、およびここにおいて、前記第１のおよび第２のデータ信号は、シングル‐エンド信号である、請求項２５に記載のデバイス。
【請求項３０】
前記復号器はさらに、
それぞれ、データの第１のサブセットおよびデータの第２のサブセットを回復するために前記第１のデータ信号および前記第２のデータ信号を復号化し、そして、
単一のデータストリームを作るためにデータの前記第１のサブセットおよびデータの前記第２のサブセットを組み合わせる、請求項２５に記載のデバイス。
【発明の詳細な説明】
【技術分野】
【０００１】
[0001]  本実施形態は一般に、平衡型ケーブル（twin-axial cables）、具体的に平衡型ケーブルを使用する複数入力複数出力（multiple-input and multiple-output）（ＭＩＭＯ）信号の送信に関する。
【背景技術】
【０００２】
[0002]  平衡型ケーブル（または「トワイナックス（twinax）」ケーブル）は、外部シールドによって包まれた２つの平衡状態の内部の導体（balanced inner conductor）を有する物理通信媒体である。外部シールドが、外部のノイズおよび干渉から、内部の導体において伝えられる電気信号を分離する間、２つの平衡状態の内部の導体は、トワイナックスケーブルが、差動信号（differential signal）を送信するために使用されることを可能にする。例えば、図１は、トワイナックスケーブル１１０のための従来型の送信構成１００を表す。トワイナックスケーブル１１０は、第１の内部の導体１０１、第２の内部の導体１０２、および外部シールド１０３を含む。外部シールド１０３は、外部のノイズおよび干渉から内部の導体１０１および１０２を分離するため、グラウンド電位（ground potential）に典型的に結合される。電源１０４は、第１の内部の導体１０１および第２の内部の導体１０２の間に結合され、トワイナックスケーブル１１０を通した送信のための差動信号を生成する。したがって、トワイナックスケーブル１１０は、差動信号方式を使用してデータ信号の単一のセットを送信し得る。
【０００３】
[0003]  トワイナックスケーブルは、比較的安価であるため、それらは、現代の高速差動信号送信アプリケーションでより広く使用されつつある。例えば、いくつかの１０Ｇイーサネット（登録商標）システムは、トワイナックスケーブルを通して差動信号を送信する。光ファイバーケーブルは、銅ベースの媒体より早いデータレートを提供することができるが、光ファイバーケーブルは、高価であり、ネットワーク環境内でインプリメントするために追加のフロント‐エンドトランシーバ電気回路を要求し得る。結果的に、トワイナックスケーブルのデータ送信レートを増加させるためのコスト効率の良い方法が必要である。
【発明の概要】
【０００４】
[0004]  この発明の概要は、発明を実施するための形態において、以下にさらに説明される概念のセレクションを簡略化された形態で紹介するために提供される。この発明の概要は、特許請求された主題事項の重要な特徴または本質的な特徴を特定することを意図されておらず、特許請求された主題事項の範囲を限定することも意図されていない。
【０００５】
[0005]  単一のデータケーブルにおいて複数のデータ信号を同時に送信するための方法および装置が、開示される。データケーブルは、少なくとも第１の内部の導体、第２の内部の導体、および外部導体シールドを含む。いくつかの実施形態に関して、ケーブルは、平衡型（トワイナックス）ケーブルであり得る。本実施形態において、第１のデータ信号は、第１のまたは第２の内部の導体のうちの１つおよび導体シールドを使用して送信され得、第２のデータ信号は、第１のデータ信号を送信するために使用されていない他の（第１のまたは第２の）内部の導体を使用して送信され得る。第１のおよび第２のデータ信号は、同時に送信され得る。
【０００６】
[0006]  いくつかの実施形態に関して、第２の信号は、第１のおよび第２の内部の導体を使用して送信され得る。第１のデータ信号は、第１のまたは第２の内部の導体のうちの１つおよび導体シールドの間の第１の電圧を適用することによって送信され得る。第２のデータ信号は、第１のおよび第２の内部の導体の間の第２の電圧を適用することによって送信され得る。いくつかの実施形態に関して、第１のデータ信号は、差動信号として送信され得、第２のデータ信号は、シングル‐エンド信号として送信され得る。
【０００７】
[0007]  他の実施形態に関して、第１のデータ信号は、第１の内部の導体および導体シールドを使用して送信され得、第２のデータ信号は、第２の内部の導体および導体シールドを使用して送信され得る。第１のデータ信号は、第１の内部の導体および導体シールドの間の第１の電圧を適用することによって生成され得る。第２のデータ信号は、第２の内部の導体および導体シールドの間の第２の電圧を適用することによって生成され得る。
【０００８】
[0008]  さらに、いくつかの実施形態に関して、符号器は、第１のおよび第２の内部の導体を介して送信向けのデータのセットを受信し得る。符号器はその次に、第１のおよび第２のサブセットにデータのセットを区切り得、それぞれ、データの第１のおよび第２のサブセットに基づいて第１のおよび第２のデータ信号を生成し得る。
【０００９】
[0009]  結果的に、例示的な実施形態に関して本明細書に説明された多様な信号送信技法は、従来型のデータ送信技法より高いデータレートをデータケーブルに提供し得る。加えて、本実施形態のうちの少なくともいくつかは、より低いデータレートで送信する場合、トランシーバの実施および／またはケーブルのロスにおいてより緩和された要件（more relaxed requirement）を可能にし得る。
【図面の簡単な説明】
【００１０】
[0010]  本実施形態は、例の目的で例証され、添付図面の図によって限定されることを意図されていない。
【図１】[0011]  図１は、トワイナックスケーブルのための従来型の送信構成の断面図である。
【図２】[0012]  図２は、いくつかの実施形態をふまえたトワイナックスケーブルのためのＭＩＭＯ送信構成の断面図である。
【図３】[0013]  図３は、トワイナックスケーブルを通したＭＩＭＯ送信のためのシステムの１つの実施形態を例証する集中定数モデル（lumped parameter model）である。
【図４】[0014]  図４は、トワイナックスケーブルを用いるＭＩＭＯデータ送信システムの１つの実施形態を例証するブロック図である。
【図５】[0015]  図５は、いくつかの実施形態をふまえたトワイナックスケーブルを通したＭＩＭＯ信号を通信するための例示的な動作を図示する実例となる流れ図である。
【図６】[0016]  図６は、他の実施形態をふまえたトワイナックスケーブルのためのＭＩＭＯ送信構成の断面図である。
【図７Ａ】[0017]  図７Ａ‐７Ｂは、いくつかの実施形態をふまえた、ツイストペアのセットを含むケーブルのためのＭＩＭＯ送信構成を例証する。
【図７Ｂ】[0017]  図７Ａ‐７Ｂは、いくつかの実施形態をふまえた、ツイストペアのセットを含むケーブルのためのＭＩＭＯ送信構成を例証する。
【図８】[0018]  図８は、ツイストペアを用いるＭＩＭＯデータ送信システムの実施形態を例証するブロック図である。
【図９Ａ】[0019]  図９Ａ‐９Ｂは、いくつかの実施形態をふまえた、ツイストペアのセットを含むケーブルを通してＭＩＭＯ信号をやりとりするための例示的な動作を図示する実例となる流れ図である。
【図９Ｂ】[0019]  図９Ａ‐９Ｂは、いくつかの実施形態をふまえた、ツイストペアのセットを含むケーブルを通してＭＩＭＯ信号をやりとりするための例示的な動作を図示する実例となる流れ図である。
【図１０】[0020]  図１０は、図８に表されたＭＩＭＯデータ送信システムのより詳細な実施形態を例証するブロック図である。
【図１１】[0021]  図１１は、図８に表されたＭＩＭＯデータ送信システムの別の実施形態を例証するブロック図である。
【図１２】[0022]  図１２は、いくつかの実施形態をふまえたＭＩＭＯトランシーバのブロック図である。
【発明を実施するための形態】
【００１１】
[0023]  下記の説明において、本開示の十分な理解を提供するために多数の具体的な詳細が記載される。また、下記の記述において、説明のために、特定の専門用語が、本実施形態の十分な理解を提供するために記載される。しかしながら、これらの具体的な詳細が本実施形態を実現するために要求され得ないことは、当業者にとって明白であろう。他の事例において、周知の回路およびデバイスが、本開示を不明確にすることを避けるために、ブロック図の形態で表される。本明細書で使用される場合「結合される」という語は、直接接続される、あるいは、１つ以上の介在するコンポーネントまたは回路を通って接続されることを意味する。本明細書に説明される多様なバスを通して提供される信号のいずれも、１つ以上の共通のバスを通して提供され、他の信号と時間多重（time-multiplexed）され得る。加えて、ソフトウェアブロックまたは回路要素の間の相互接続は、バスとしてまたは単一の信号線として表され得る。バスの各々は、代わりに単一の信号線であり得、単一の信号線の各々は、代わりにバスであり得、単一の線またはバスは、コンポーネントの間の通信のための無数の物理的または論理的メカニズムのうちの任意の１つ以上を示してもよい。
【００１２】
[0024]  図２は、いくつかの実施形態をふまえたトワイナックスケーブル２１０のためのＭＩＭＯ送信構成２００の断面図である。トワイナックスケーブル２１０は、第１の内部の導体２０１、第２の内部の導体２０２、および外部導体シールド２０３を含む。第１の電源２０４は、トワイナックスケーブル２１０の第１の内部の導体２０１および第２の内部の導体２０２の間に結合される。第２の電源２０５は、トワイナックスケーブル２１０の導体シールド２０３および第２の内部の導体２０２の間に結合される。
【００１３】
[0025]  データ信号の第１のセット（例えば、データの第１のサブセットに相当する）は、第１の電源２０４によって生成され得、２つの内部の導体２０１および２０２を使用してトワイナックスケーブル２１０を通して送信され得る。より具体的には、第１の電源２０４は、第１のおよび第２の内部の導体２０１および２０２の間で第１の電圧Ｖ１２を生成し得る。第１の電圧Ｖ１２はしたがって、データ信号の第１のセットに置き換えられる（translated into）。いくつかの実施形態に関して（例えば、ここにおいて、第１のおよび第２の内部の導体２０１および２０２が、実質的に対称である）、データ信号の第１のセットは、第１のおよび第２の内部の導体２０１および２０２を通して差動信号方式を使用してトワイナックスケーブル２１０において送信され得る。
【００１４】
[0026]  データ信号の第２のセット（例えば、データの第２のサブセットに相当する）は、第２の電源２０５によって生成され得、導体シールド２０３および第２の内部の導体２０２を使用してトワイナックスケーブル２１０を通して送信され得る。より具体的には、第２の電源２０５は、導体シールド２０３および第２の内部の導体２０２の間で第２の電圧Ｖ２Ｓを生成し得る。第２の電圧Ｖ２Ｓはしたがって、データ信号の第２のセットに置き換えられる。いくつかの実施形態に関して、データ信号の第２のセットは、シングル‐エンド（すなわち、非差動）信号方式の技法を使用して導体シールド２０３および第２の内部の導体２０２を介して送信され得る。例えば、導体シールド２０３の電圧は、第２の内部の導体２０２に適用される電圧のための基準電位（reference potential）として使用され得る。代わりに、第２の内部の導体２０２の電圧は、導体シールド２０３に適用される電圧のための基準電位として使用され得る。
【００１５】
[0027]  結果的に、図２に例証されるトワイナックス送信構成２００は、導体シールド２０３および第２の内部の導体２０２を使用するシングル‐エンドデータ信号方式と並行して２つの内部の導体２０１および２０２を使用する差動データ信号方式を可能にし得る。送信媒体として導体シールド２０３を使用する能力は、例えば、コアックス（coax）ケーブルおよび／または従来型のトワイナックス送信技法と比較して追加の自由度（degree of freedom）を提供する。
【００１６】
[0028]  加えて、図２のトワイナックス送信構成２００はまた、特により高いデータレートで、トランシーバの実施およびケーブルのロスにおける要件を緩和し得る。例えば、トワイナックスケーブル２１０の帯域幅が、Ｗとして表示され、総送信パワーが、Ｐとして表示され、ノイズスペクトル密度を持つ付加性白色ガウスノイズ（additive white Gaussian noise with noise spectral density）が、Ｎ０として表示される場合、達成可能なデータレート（Ｒ１）における上限（upper bound）は、単一‐ストリーム送信技法を使用する場合、Ｒ１＝Ｗ  ｌｏｇ２（１＋Ｐ／Ｎ０）として表され得る。その一方、本実施形態のうちのいくつかをふまえた２‐ストリーム送信技法を使用する場合（各ストリームが、相互‐ストリーム干渉（inter-stream interference）を無視し、半分のパワーとして送信されると仮定する）、達成可能なデータレート（Ｒ２）における上限は、Ｒ２＝２Ｗ  ｌｏｇ２（１＋Ｐ／２Ｎ０）として表され得る。したがって、信号対ノイズ比（Ｐ／Ｎ０）が高い場合、即ちＲ２＞Ｒ１。代わりに、本実施形態のうちのいくつかをふまえた送信技法は、より低い総送信パワー（Ｐ）および同じ受信機ノイズ（Ｎ０）を持つ、あるいはより低い受信機ノイズおよび同じ総送信パワーのどちらかを持つ単一‐ストリーム送信技法と同じデータレート（例えば、Ｒ２＝Ｒ１）を達成し得る。相互‐ストリーム干渉は、本実施形態のうちのいくつかの実際のインプリメンテーションのためにトランシーバのゲイン（gain）を低減し得るが、干渉抑圧（interference suppression）および／または除去スキーム（cancellation scheme）は、本実施形態のうちのいくつかによって送信されるデータ信号の複数のセットのインテグリティ（integrity）を維持するために使用され得る。
【００１７】
[0029]  いくつかの実施形態に関して、図２のトワイナックスケーブル２１０および図１のトワイナックスケーブル１１０の間の構造上の類似性は、本実施形態の送信技法が、従来型のトワイナックスケーブルを用いるレガシーネットワークに容易に適用されることを可能にし得る。そのうえ、導体シールド２０３は、本実施形態をふまえたデータ送信のために使用され得るが、導体シールド２０３は、外部のノイズおよび干渉から内部の導体２０１および２０２もシールドし得る。
【００１８】
[0030]  図３は、いくつかの実施形態をふまえたＭＩＭＯ送信システム３００を例証する集中定数モデルである。システム３００は、トワイナックスケーブル２１０、送信機３１０、および受信機３２０を含む。トワイナックスケーブル２１０は、第１の内部の導体２０１、第２の内部の導体２０２、および導体シールド２０３を含む。送信機３１０は、トワイナックスケーブル２１０の一方の末端に結合され、受信機３２０は、トワイナックスケーブル２１０の他方の末端に結合される。送信機３１０は、受信機３２０にデータ信号を送信するための電源３１２および３１４を含む。受信機３２０は、送信機３１０から受信されるデータ信号を検出するための検出回路３２２および３２４を含む。
【００１９】
[0031]  作動中、送信機３１０は、第１の電源３１２に、第１のおよび第２の内部の導体２０１および２０２の間で第１の電圧Ｖ１２を生成させることによって第１のデータ信号を送信し得る。送信機３１０は、第２の電源３１４に、第２の内部の導体２０２および導体シールド２０３の間で第２の電圧Ｖ２Ｓを生成させることによって第２のデータ信号を送信し得る。受信機３２０は、導体２０１‐２０３における電圧を検出することによってこれらのデータ信号を受信する。いくつかの実施形態に関して（例えば、ここにおいて、２つの内部の導体２０１および２０２が、実質的に対称である）、第１の電源３１２によって送信されるデータ信号は、差動信号であり得る。結果的に、第１の検出器３２２は、第１の内部の導体２０１における電圧Ｖ１を検出し得、第１のデータ信号を回復するために第２の内部の導体２０２において検出される電圧Ｖ２を加え（または差し引き）し得る。第２の検出器３２４は、導体シールド２０３における電圧ＶＳに関して第２の内部の導体２０２における電圧Ｖ２を検出することによって導体シールド２０３および第２の内部の導体２０２を介して送信される第２のデータ信号を回復し得る。
【００２０】
[0032]  図３に表された例示的な実施形態において、第２の内部の導体２０２における電圧Ｖ２は、第１の内部の導体２０１における電圧Ｖ１および／または導体シールド２０３における電圧ＶＳによって影響され得ることに留意されたい。とはいえ、少なくとも２つの自由度は、システム３００を使用して達成され得る場合がある。例えば、送信機３１０は、電源３１２および３１４の両方を制御するため、電圧信号Ｖ１２が、第１の検出器３２２によって検出される一方、電圧信号Ｖ２Ｓは、第２の検出器３２４によって検出され得ることを確実にするために、導体シールド２０３の電圧ＶＳが、第２の内部の導体２０２の電圧Ｖ２より低い（またはより高い）電位で保持されるように、電源３１４はバイアスされ（biased）得る。いくつかの実施形態において、導体シールド２０３は、グラウンドされ（grounded）得る（例えば、ＶＳ＝０）。代わりに、送信機３１０は、２つの内部の導体２０１および２０２を使用するデータの送信が、導体シールド２０３および第２の内部の導体２０２を使用するデータの送信に干渉しないことを確実にするために電源３１２および３１４の各々を選択的に制御し得る。
【００２１】
[0033]  いくつかの実施形態に関して、異なる波形が、データ信号の２つのセットの各々に関して生成され得る。例えば、第１のデータ信号は、レガシートワイナックスシステムとの下位互換性（backward compatibility）を保つためにレガシーベースバンド信号として２つの内部の導体２０１および２０２を使用して送信され得、一方、第２のデータ信号は、他の技法を使用する（例えば、ＯＦＤＭシンボルを使用する）導体シールド２０３および第２の内部の導体２０２を使用して送信され得る。結果的に、いくつかの実施形態に関して、受信機３２０は、信号の間のクロス‐トークおよび干渉を除去または抑圧するためにデータ信号の２つのセットにおける異なる特性を利用し（exploit）得る。他の実施形態に関して、データ信号の２つのセットは、レガシーベースバンド信号を使用して送信され得る。どちらの実施形態においても、２つの信号ストリームの波形は、周波数領域において、それらのエネルギーがＤＣ周波数をカバーすることができる性質（property）を共有し得る。いくつかの通信システムにおいて（例えば、ＤＳＬおよびパワー線通信システム等）、ＤＣに最も近い周波数帯が、他の目的で、例えば、電話信号および／またはパワーを伝えるために典型的に使用されるため、データ信号はＤＣ周波数をカバーすべきでない。本実施形態の下、全体の帯域幅（ＤＣを含む）は、データ信号方式に使用され得る。実際には、周囲の環境から起こり得る大きい干渉（possible heavy interference）が原因で、情報を伝えるためにＤＣ周波数を使用することは望ましくないものであり得る。しかしながら、本実施形態の下、たとえ信号がＤＣで伝えられても、より高い干渉は、他の通信に関して生成され得ない。
【００２２】
[0034]  図４は、他の実施形態をふまえたＭＩＭＯ送信システム４００のブロック図である。ＭＩＭＯ送信システム４００は、ＭＩＭＯ符号器４１０、送信機４２０、受信機４３０、およびＭＩＭＯ復号器４４０を含む。内部の導体２０１および２０２ならびに導体シールド２０３を含むトワイナックスケーブル２１０は、送信機４２０および受信機４３０の間に結合される。いくつかの実施形態において、送信機４２０および受信機４３０は、トワイナックスケーブル２１０を通してデータ信号を送信も受信もするように構成されるトランシーバに取り替えられ得ることに留意されたい。そのような構成は、トワイナックスケーブル２１０を介して双方向通信を可能にし得る。
【００２３】
[0035]  図５は、いくつかの実施形態をふまえたトワイナックスケーブルを通したＭＩＭＯ信号を通信するための例示的な動作５００を図示する実例となる流れ図である。例えば、図４を参照して、ＭＩＭＯ符号器４１０はまず、送信されるためのデータ４０１のセットを、入力として、受信し、データ４０２（１）および４０２（２）の２つのサブセットを作るためにデータセット４０１を符号化する（５１０）。データ４０１のセットは、例えば、差動信号技法を使用するトワイナックスケーブル２１０の２つの内部の導体２０１および２０２を通した送信向けであり得る。いくつかの実施形態に関して、ＭＩＭＯ符号器４１０は、データ４０２（１）および４０２（２）の２つのサブセットに入力データ４０１を区切り得、そしてそれは、データ信号の２つの別個のおよび／または並行の（parallel）セットとしてトワイナックスケーブル２１０を通して送信され得る。
【００２４】
[0036]  送信機４２０は、トワイナックスケーブル２１０の２つの内部の導体２０１および２０２を使用してＭＩＭＯ‐符号化されたデータ（MIMO-encoded data）４０２（１）の第１のサブセットを送信する（例えば、データ信号の第１のセットとして）（５２０）。図２および３に関して上述されたように、送信機４２０は、２つの内部の導体２０１および２０２の間の電圧（Ｖ１２）を適用することによってデータ信号の第１のセットを送信し得る（例えば、差動信号として）。送信機４２０はさらに、導体シールド２０３および内部の導体２０２を使用してＭＩＭＯ‐符号化されたデータ４０２（２）の第２のサブセットを送信する（例えば、データ信号の第２のセットとして）（５３０）。例えば、図２および３に関して上述されたように、送信機４２０は、データ信号の第２のストリームを送信するために（例えば、シングル‐エンド信号として）導体シールド２０３および第２の内部の導体２０２の間の第２の電圧信号（Ｖ２Ｓ）を適用し得る。いくつかの実施形態に関して、データ信号の第１のおよび第２のセットは、同時に送信され得る。
【００２５】
[0037]  受信機４３０は、トワイナックスケーブル２１０の内部の導体２０１および２０２を介してＭＩＭＯ‐符号化されたデータ４０３（１）の第１のサブセットを受信する（例えば、データ信号の第１のセットとして）（５４０）。例えば、図３に関して上記に説明されたように、受信機４３０は、第１のおよび第２の内部の導体２０１および２０２の間の電圧をサンプリングすることによってデータ４０３（１）の第１のサブセットを受信し得る。受信機４３０はさらに、トワイナックスケーブル２１０の導体シールド２０３および内部の導体２０２を介してＭＩＭＯ‐符号化されたデータ４０３（２）の第２のサブセットを受信する（例えば、データ信号の第２のセットとして）（５５０）。例えば、図３に関して上記に説明されたように、受信機４３０は、第２の内部の導体２０２および導体シールド２０３の間の電圧をサンプリングすることによってデータ４０３（２）の第２のサブセットを受信し得る。
【００２６】
[0038]  最後に、ＭＩＭＯ復号器４４０は、出力データ４０４のセットを作るためにＭＩＭＯ‐符号化されたデータ４０３（１）および４０３（２）の２つのサブセットを復号化する（５６０）。例えば、ＭＩＭＯ復号器４４０は、もともと送信されたデータを回復するためにＭＩＭＯ‐符号化されたデータ４０３（１）および４０３（２）の２つのサブセットを組み合わせ得る。いくつかの実施形態に関して、ＭＩＭＯ符号器４１０およびＭＩＭＯ復号器４４０は、同じ符号化／復号化技法を使用するために事前設定（preconfigured）され得る。代わりに、ＭＩＭＯ符号器４１０は、データの送信より前に、またはデータの送信と同時にＭＩＭＯ復号器４４０に復号化する命令を送信し得る。
【００２７】
[0039]  図４および５に関連して上記に説明されたように、ＭＩＭＯシステム４００は、多数のレガシートワイナックスアプリケーションのフロントエンドに電気回路を取り替えるおよび／または加えることによってインプリメントされ得る。結果的に、ＭＩＭＯシステム４００は、既存のトワイナックス通信システムのデータレートを増加させるための低コスト技法を提供し得る。
【００２８】
[0040]  図６は、他の実施形態をふまえたトワイナックスケーブル２１０のためのＭＩＭＯ送信構成６００の断面図である。上記に説明されたように、トワイナックスケーブル２１０は、第１のおよび第２の内部の導体２０１および２０２、ならびに導体シールド２０３を含む。さらに、第１の電源６０４は、第１の内部の導体２０１および導体シールド２０３の間に結合され、第２の電源６０５は、第２の内部の導体２０２および導体シールド２０３の間に結合される。
【００２９】
[0041]  データ信号の第１のセットは、例えば、第１の内部の導体２０１および導体シールド２０３の間の第１の電圧Ｖ１Ｓを適用することによって、第１の電源６０４を使用して導体シールド２０３および第１の内部の導体２０１を介して送信され得る。データ信号の第２のセットは、例えば、第２の内部の導体２０２および導体シールド２０３の間の第２の電圧Ｖ２Ｓを適用することによって、第２の電源６０５を使用して導体シールド２０３および第２の内部の導体２０２を介して送信され得る。
【００３０】
[0042]  いくつかの実施形態に関して、導体シールド２０３は、第１のおよび第２の内部の導体２０１および２０２の各々を通して送信されるデータ信号のための共通の復路として使用され得る。内部の導体２０１および２０２は、導体シールド２０３に関して対称であり得ないが、データ信号の２つのストリームの送信路は、それでもなお対称である。このことは、図６の送信構成６００を使用してトワイナックスケーブル２１０を通して２つの並行のデータ信号を送信する場合、インピーダンス整合（impedance matching）をより簡単にする。
【００３１】
[0043]  さらに、導体シールド２０３および第１の内部の導体２０１を介して送信されるデータは、シングル‐エンドデータ信号として示され得る。同様に、導体シールド２０３および第２の内部の導体２０２を介して送信されるデータもまた、シングル‐エンドデータ信号として示され得る。したがって、いくつかの実施形態に関して、導体シールド２０３における電圧は、第１のおよび第２の内部の導体２０１および２０２の各々における電圧のための基準電位としての役割を果たし得るため、グラウンドに固定され（pinned to ground）得る。このことは、データ信号送信のために導体シールド２０３を使用する場合、追加の自由度を可能にし得る。例えば、送信構成６００は、並行してデータ信号の２つの実質的に対称なセットを送信し得、したがって従来型のトワイナックスケーブル送信技法と比較して通信のデータレートを増加する。加えて、送信構成６００はまた、特により低いデータレートで（例えば、図２に関して上記に説明されたように）トランシーバの実施およびケーブルのロスにおける要件を緩和し得る。
【００３２】
[0044]  上記に説明された送信モードに関してカットオフ周波数が、ゼロ（例えば、ＤＣ）であると仮定されることに留意されたい。内部の導体２０１または２０２のうちの少なくとも１つおよび導体シールドを活用するデータ送信に関してより高い周波数で複数の送信モードが存在し得る。複数のデータ信号は、より高い周波数で、電場および磁場の異なる向きで（at different direction）ケーブル２１０を通して同時に送信され得る。したがって、いくつかの実施形態に関して、本明細書に説明されたデータ送信技法のうちの１つ以上が、同軸（「コアックス」）ケーブルに適用され得る。
【００３３】
[0045]  例えば、コアックスケーブルにおいて（さらにトワイナックスケーブル２１０における導体シールド２０３および内部の導体２０１または２０２のうちの１つの間のデータチャネルに関して）、低い周波数（例えば、数ギガヘルツまで）で送信されるデータに関して、相当する信号波は、主に横電磁界（transverse electric magnetic）（ＴＥＭ）モードで伝播する。このことは、電場および磁場が、共に伝播の向きに垂直であることを意味する。しかしながら、あるカットオフ周波数を超えて、横電界（ＴＥ）または横磁界（ＴＭ）モードはまた、電波管と同様の方法で伝播し得る。従来型のデータ送信技法に関して、伝播するための異なる位相速度を持つ複数のモードをもたらし得、その結果互いに干渉し得るため、カットオフ周波数を超えて信号を送信することは典型的に望ましくないものである。しかしながら、そのような干渉を抑圧するおよび除去する進歩した受信機の技法を使用する場合、これらのより高いモードは、データ信号を確実に送信するために使用され得る。
【００３４】
[0046]  前述の実施形態が、トワイナックスケーブルに限定されるわけではないことに留意されるべきである。例えば、本明細書に説明されたＭＩＭＯ送信技法は、トリアックス（tri-ax）および／またはクアドアックス（quad-ax）ケーブルに適用され得る。そのうえ、ケーブルが、Ｎ個の内部の導体を有すると仮定すると、本明細書に説明された送信技法は、追加の導体としてケーブルの導体シールドを（例えば、送信路または復路として）活用することによってＮ個の並行のデータ信号（concurrent data signal）を送信することを考慮する。例えば、図２に表された実施形態は、Ｎ個の内部の導体を使用してＮ‐１個の並行のデータ信号を送信するために拡大され得、それによって追加のデータ信号は、導体シールドおよびＮ番目の内部の導体を使用してさらに送信される。同様に、図６に表された実施形態は、各データ信号を送信するために導体シールド、およびＮ個の内部の導体のうちのそれぞれ１つを使用して、同時に、Ｎ個のデータ信号を送信するために拡大され得る。
【００３５】
[0047]  上記に説明された実施形態において、トワイナックスケーブル２１０の内部の導体２０１および２０２は、互いに非常に近くであり得る。したがって、並行してデータの２つのストリームを送信する場合、クロス‐トークは、チャネルの間に導入され得る。しかしながら、進歩した受信機および／または送信機の技法は、そのようなクロス‐トークを、効率的に抑圧する、または除外さえし得る。そのような受信機側（receiver-side）の技法の例は、逐次干渉除去（successive interference cancellation）（ＳＩＣ）および線形最小２乗平均誤差（linear minimum-mean-square-error）（ＬＭＭＳＥ）を含む。加えて、送信機は、受信機に基準信号を提供し得る。
【００３６】
[0048]  より具体的には、受信機４３０から送信機４２０に２つの信号ストリームの達成可能なレートおよび／またはチャネル状況についてのフィードバックが、提供され得る。このフィードバックは、送信機４２０によって使用されるためのパケット形式としておよび／またはチャネル品質のインジケータとして提供され得る。フィードバックはまた、２つのストリームの間の相対位相（relative phase）についての情報を包含し得る。適切に選ばれた相対位相は、相互‐ストリーム干渉、またはストリームの間のクロス‐トークを低減し得る。同じチャネル状況の下、異なる能力を持つ受信機４３０（例えば、ＳＩＣ受信機およびＬＭＭＳＥ等化器受信機（LMMSE equalizer receiver））は、送信機４２０に異なる達成可能なレートを報告し得る。このことは、ＳＩＣ受信機によって実施される復号化のオーダー（order）が理由で、同じシステムおよび対称なデータ信号でさえその場合であり得る（例えば、ここにおいて、各データ信号は、導体シールドおよび１つの内部の導体を使用して送信される）。ＯＦＤＭ波形が、１つまたは複数の信号ストリームに使用される場合、ここにおいて、ＯＦＤＭ波形は、複数のサブ‐バンドから構成され、フィードバックは、各サブ‐バンドに関して２つのストリームの間の相対位相、および各ストリームのチャネル品質に関する情報を包含し得る。
【００３７】
[0049]  図７Ａは、いくつかの実施形態をふまえた、ツイストペア７５０および７６０のセットを含むケーブルのためのＭＩＭＯ送信構成７００Ａを例証する。第１のツイストペア７５０は、導体７０１および７０２を含み、第２のツイストペア７６０は、導体７０３および７０４を含む。ツイストペア７５０および７６０は、送信機７１０および受信機７２０の間に結合される。送信機７１０は、複数の電源７１２、７１４、および７１６を含む。いくつかの実施形態に関して、第１の電源７１２は、導体７０１および７０２に結合され、第２の電源７１４は、導体７０１および７０３に結合され、ならびに第３の電源７１６は、導体７０１および７０４に結合される。受信機７２０は、複数の検出回路７２２、７２４、および７２６を含む。いくつかの実施形態に関して、第１の検出器７２２は、導体７０１および７０２に結合され、第２の検出器７２４は、導体７０１および７０３に結合され、ならびに第３の検出器７２６は、導体７０１および７０４に結合される。
【００３８】
[0050]  データ信号の第１のセット（例えば、データの第１のサブセットに相当する）は、第１の電源７１２によって生成され得、第１のツイストペア７５０を通して（例えば、導体７０１および７０２を介して）送信され得る。より具体的には、第１の電源７１２は、導体７０１および７０２にわたって（across）第１の電圧Ｖ１を適用し得る。第１の電圧Ｖ１はしたがって、データ信号の第１のセットに置き換えられる。第１の検出器７２２は、第１の負荷インピーダンス（load impedance）Ｚ１にわたって電流および／または電圧を検出することによって、導体７０１および７０２を介して、データ信号の第１のセットを受信し得る。第１の検出器７２２はその次に、検出された電流（１つまたは複数の）および／または電圧（１つまたは複数の）に基づいて第１のデータストリームを回復し得る。いくつかの実施形態に関して（例えば、ここにおいて、導体７０１および７０２は、実質的に対称である）、データの第１のサブセットは、差動信号方式技法を使用してツイストペア７５０において送信され得る。
【００３９】
[0051]  データ信号の第２のセット（例えば、データの第２のサブセットに相当する）は、第２の電源７１４によって生成され、導体７０１および７０３を介して送信され得る。具体的に、第２の電源７１４は、導体７０１および７０３にわたって第２の電圧Ｖ２を適用し得る。第２の電圧Ｖ２はしたがって、データ信号の第２のセットに置き換えられる。第２の検出器７２４は、第２の負荷インピーダンスＺ２にわたって電流および／または電圧を検出することによって、導体７０１および７０３を介して、データ信号の第２のセットを受信し得る。第２の検出器７２４はその次に、検出された電流（１つまたは複数の）および／または電圧（１つまたは複数の）に基づいて第２のデータストリームを回復し得る。いくつかの実施形態に関して、第２の電源７１４は、第１のツイストペア７５０の導体のうちの１つ（すなわち、導体７０１）および第２のツイストペア７６０の導体のうちの１つ（すなわち、導体７０３）を使用してデータ信号を送信する。
【００４０】
[0052]  データ信号の第３のセット（例えば、データの第３のサブセットに相当する）は、第３の電源７１６によって生成され、導体７０１および７０４を介して送信され得る。具体的に、第３の電源７１６は、導体７０１および７０４にわたって第３の電圧Ｖ３を適用し得る。第３の電圧Ｖ３はしたがって、データ信号の第３のセットに置き換えられる。第３の検出器７２６は、第３の負荷インピーダンスＺ３にわたって電流および／または電圧を検出することによって、導体７０１および７０４を介して、データ信号の第３のセットを受信し得る。第３の検出器７２６はその次に、検出された電流（１つまたは複数の）および／または電圧（１つまたは複数の）に基づいて第３のデータストリームを回復し得る。いくつかの実施形態に関して、第３の電源７１６は、第１のツイストペア７５０の共有される導体（すなわち、導体７０１）および第２のツイストペア７６０の残りの導体（すなわち、導体７０４）を使用してデータ信号を送信する。
【００４１】
[0053]  導体７０１が、すべての３つの電源７１２、７１４、および７１６によって共有される（すなわち、結合される）ため、導体７０１の電圧レベルは、電源７１２、７１４、および７１６の各々によってそれらのそれぞれのデータ信号を生成するために共通の基準電圧として使用され得る。いくつかの実施形態に関して、導体７０１は、グラウンドされ得る。他の実施形態に関して、送信機７１０は、１つの電源によるデータの送信が、他の電源のうちのいずれかによるデータの送信にも干渉しないことを確実にするために電源７１２、７１４、および７１６の各々を選択的に制御するための電気回路を含み得る。
【００４２】
[0054]  個別の送信線として導体７０１‐７０４を扱うことは、例えば、従来型のツイストペア送信技法と比較して、追加の自由度（例えば、３つのデータ信号までが、並行して送信されることを可能にすること）を提供する。さらに、先行技術の実施形態および本明細書に説明されたツイストペアケーブルの間の構造上の類似性は、本実施形態に、従来型のツイスト‐ペアケーブル（例えば、カテゴリ５および／またはカテゴリ６ケーブル）を用いるレガシーネットワークに容易に適用されることを可能にし得る。
【００４３】
[0055]  上記に説明された実施形態において、ツイストペア７５０および７６０の導体７０１‐７０４は、互いに非常に近くであり得る。したがって、並行してデータの複数のストリームを送信する場合、クロス‐トークが、チャネルの間に導入され得る。さらに、信号反射（signal reflection）は、導体７０１‐７０４と送信機７１０および／または受信機７２０の間の接続でも導入され得る。したがって、いくつかの実施形態に関して、送信機７１０および／または受信機７２０は、信号干渉のそのようなソースを軽減するためのインピーダンス整合電気回路を含み得る。
【００４４】
[0056]  例えば、図７Ｂの構成７００Ｂに表されたように、受信機７２０は、導体７０１‐７０４における反射および／またはクロストークを軽減するために使用されることができる追加の負荷インピーダンス７２７‐７２９を含み得る。具体的に、負荷７２７は、Ｚ１２のインピーダンス値を有し導体７０２および７０３の間に結合され、負荷７２８は、Ｚ２３のインピーダンス値を有し導体７０３および７０４の間に結合され、ならびに負荷７２９は、Ｚ１３のインピーダンス値を有し導体７０２および７０４の間に結合される。これらの負荷インピーダンス７２７‐７２９は、検出回路７２２、７２４、および７２６と関連するインピーダンスと併せて、導体７０１‐７０４と関連する入力インピーダンスに受信機７２０のインピーダンスを整合するために使用されることができる。
【００４５】
[0057]  インピーダンス整合に加えて、進歩した受信機および／または送信機の技法は、導体の間のクロス‐トークを、効率的に抑圧する、または除外さえし得る。そのような受信機側の技法の例は、逐次干渉除去（ＳＩＣ）および線形最小２乗平均誤差（ＬＭＭＳＥ）を含む。加えて、送信機７１０は、外部のノイズまたは干渉を検出するおよび軽減するために受信機７２０に基準信号を提供し得る。
【００４６】
[0058]  本実施形態は、わかりやすさのためだけに２つのツイストペア（例えば、ツイストペア７５０および７６０）から構成されるケーブルに関して説明されていることに留意されるべきである。本明細書に説明された改良されたＭＩＭＯ送信技法は、任意のＮ個の複数のツイストペアにわたって容易に適用されることができる。例えば、構成７００Ａおよび７００Ｂは、Ｎ個のツイストペア（例えば、ここにおいて、導体のうちの１つが共有されるＮ個のツイストペアを構成する２Ｎ個の個別の導体を使用する）にわたって２Ｎ‐１データストリームを送信するために簡単に拡大されることができる。そのうえ、Ｎ個のツイストペアは、１つまたは複数のケーブルに物理的にパッケージされ得る。
【００４７】
[0059]  図８は、ツイストペアを用いるＭＩＭＯデータ送信システム８００の実施形態を例証するブロック図である。システム８００は、ＭＩＭＯ符号器８１０、送信機８２０、受信機８３０、およびＭＩＭＯ復号器８４０を含む。ツイストペア７５０および７６０は、送信機８２０および受信機８３０の間に結合される。図９Ａ‐９Ｂは、いくつかの実施形態をふまえたツイストペアのセットを通して、改良されたＭＩＭＯ信号をやりとりするための例示的な動作９００および９０１を図示する実例となる流れ図である。図９Ａ‐９Ｂは、図８のシステム８００を参照して以下に説明される。
【００４８】
[0060]  ＭＩＭＯ符号器８１０は、Ｎ個のツイストペアを介して送信されるための入力データ８０１のＮ個のデータストリームを最初に受信する（９１０）。特定の例において、ＭＩＭＯ符号器８１０は、それぞれ、ツイストペア７５０および７６０を通して送信されることを意図されている２つのデータストリーム８０１（１）および８０１（２）を受信し得る。いくつかの実施形態に関して、Ｎ個のデータストリームの各々は、Ｎ個のツイストペア（例えば、差動信号方式を使用する）のそれぞれの１つを介して送信されることを意図されている差動データ信号に相当し得る。ＭＩＭＯ符号器８１０はその次に、Ｍ個の複数の改良されたＭＩＭＯ（enhanced-MIMO）（ＥＭ）データストリームにＮ個のデータストリームを符号化する（例えば、変換する）（９２０）。いくつかの実施形態に関して、Ｍ＝２Ｎ‐１。例えば、ＭＩＭＯ符号器８１０は、２つの受信されたデータストリーム８０１（１）および８０１（２）を３つのＥＭデータストリーム８０２（１）‐８０２（３）に符号化し得る。
【００４９】
[0061]  送信機８２０は、共通の導体、および残りの２Ｎ‐１導体のうちのそれぞれの１つを使用してＥＭデータを送信する（９３０）。より具体的には、送信機８２０は、導体７０１‐７０４にわたって相当する複数の電圧を適用することによってＥＭデータを示すデータ信号を生成し得る。いくつかの実施形態に関して、導体７０１‐７０４のうちの１つの電圧レベルは、残りの３つの導体をバイアスするために共通の基準電位として使用され得る。例えば、送信機８２０は、導体７０１および残りの導体７０２‐７０４の各々の間のそれぞれの電圧バイアスを適用することによって３つのＥＭデータストリーム８０２（１）‐８０２（３）を送信し得る。
【００５０】
[0062]  受信機８３０は、Ｎ個のツイストペアを介してＭ個の複数のＥＭデータ信号を受信する（９４０）。より具体的には、受信機８３０は、導体７０１‐７０４にわたって送信される電流および／または電圧を検出すること（例えば、サンプリングすること）によってＭ個の複数のＥＭデータストリームを回復し得る。いくつかの実施形態に関して、導体７０１‐７０４のうちの１つの電圧レベルは、残りの３つの導体における電圧を決定するための基準電位として使用され得る。例えば、受信機８３０は、導体７０１および残りの導体７０２‐７０４の各々の間のそれぞれの電圧差を検出することによって３つのＥＭデータストリーム８０３（１）‐８０３（３）を受信し得る。
【００５１】
[0063]  ＭＩＭＯ復号器８４０は、Ｍ個の受信されたデータストリームをＮ個の複数のデータストリームのように、それのもとの形態に復号化し（例えば、変換し）（９５０）、さらなる処理のために復号化されたデータストリームを出力する（９６０）。例えば、ＭＩＭＯ復号器８４０は、２つのもとのデータストリーム８０４（１）および８０４（２）を示すＥＭデータ８０３（１）‐８０３（３）の３つの並行のストリームを受信し得る。言い換えれば、３つのＥＭデータストリーム８０３（１）‐８０３（３）は、データの２つだけの別個のストリームとして送信されることをもともと意図されている。ＭＩＭＯ復号器８４０はしたがって、３つのＥＭデータストリーム８０３（１）‐８０３（３）がそれから符号化された、もとの２つのデータストリーム８０４（１）および８０４（２）を復元し得る。
【００５２】
[0064]  いくつかの実施形態において、送信機８２０および受信機８３０は、導体７０１‐７０４を介してデータ信号を送信も受信もする（すなわち、トランシーバ）ように構成されるトランシーバの代わりになり得ることに留意されたい。そのような構成は、導体７０１‐７０４を介して双方向通信を可能にし得る。さらに、上記に説明されたシステム８００は、多数のレガシーツイスト‐ペアケーブル（例えば、Ｃａｔ５および／またはＣａｔ６）アプリケーションのフロントエンドに追加の電気回路を加えることまたは取り替えることによってインプリメントされ得る。結果的に、システム８００は、既存のツイストペアベースの通信システムのデータレートを増加するための低コストの代替手段を提供し得る。
【００５３】
[0065]  図１０は、図８に表されたＭＩＭＯデータ送信システム８００のより詳細な実施形態を例証するブロック図である。システム１０００は、ツイストペア７５０および７６０の一方の末端に結合される複数の送信機１０１２、１０１４、および１０１６、ならびにツイストペア７５０および７６０の他方の末端に結合される複数の受信機１０２２、１０２４、および１０２６を含む。具体的に、第１の送信機１０１２および第１の受信機１０２２は、導体７０１および７０２に結合され、第２の送信機１０１４および第２の受信機１０２４は、導体７０１および７０３に結合され、ならびに第３の送信機１０１６および第３の受信機１０２６は、導体７０１および７０４に結合される。
【００５４】
[0066]  作動中、送信機１０１２、１０１４、および１０１６は、それぞれ、データストリームデータ＿１、データ＿２、およびデータ＿３を受信し、導体７０１‐７０４を介して受信されるデータストリームを示すデータ信号を出力する。例えば、データストリームデータ＿１、データ＿２、およびデータ＿３は、ＭＩＭＯ符号器（表されていない）によって符号化されるＥＭデータストリームに相当し得る。いくつかの実施形態に関して、送信機１０１２、１０１４、および１０１６の各々は、受信されるデータストリームをツイスト‐ペアケーブル導体のセットに変換する能力がある変成器（例えば、バラン変成器）に相当し得る。例えば、第１の送信機１０１２は、導体７０１および７０２を介してデータストリームデータ＿１を送信し得、第２の送信機１０１４は、導体７０１および７０３を介してデータストリームデータ＿２を送信し得、ならびに第３の送信機１０１６は、導体７０１および７０４を介してデータストリームデータ＿３を送信し得る。
【００５５】
[0067]  受信機１０２２、１０２４、および１０２６は、導体７０１‐７０４によって伝えられるデータ信号をサンプリングすることによって、それぞれ、データストリームデータ＿１、データ＿２、およびデータ＿３を回復するように構成される。いくつかの実施形態に関して、受信機１０２２、１０２４、および１０２６の各々は、相当するデータストリームにツイスト‐ペアケーブル導体のセットを通して受信されるデータ信号を変換する能力がある変成器に相当し得る。例えば、第１の受信機１０２２は、導体７０１および７０２からデータストリームデータ＿１を回復し得、第２の受信機１０２４は、導体７０１および７０３からデータストリームデータ＿２を回復し得、ならびに第３の受信機１０２６は、導体７０１および７０４からデータストリームデータ＿３を回復し得る。
【００５６】
[0068]  図１１は、図８に表されたＭＩＭＯデータ送信システム８００の別の実施形態を例証するブロック図である。より具体的には、システム１１００は、図１０に表されたシステム１０００のための代替の構成を示す。例えば、システム１１００は、導体７０１および７０２に結合される第１の送信機１１１２および第１の受信機１１２２、導体７０２および７０３に結合される第２の送信機１１１４および第２の受信機１１２４、ならびに導体７０３および７０４に結合される第３の送信機１１１６および第３の受信機１１２６を含む。
【００５７】
[0069]  図１０に関連して、上記に説明されたように、送信機１１１２、１１１４、および１１１６ならびに受信機１１２２、１１２４、および１１２６の各々は、変成器に相当し得る。具体的に、第１の送信機１１１２は、導体７０１および７０２を介してデータストリームデータ＿１を送信し得、第２の送信機１１１４は、導体７０２および７０３を介してデータストリームデータ＿２を送信し得、ならびに第３の送信機１１１６は、導体７０３および７０４を介してデータストリームデータ＿３を送信し得る。同様に、第１の受信機１１２２は、導体７０１および７０２からデータストリームデータ＿１を回復し得、第２の受信機１１２４は、導体７０２および７０３からデータストリームデータ＿２を回復し得、ならびに第３の受信機１１１６は、導体７０３および７０４からデータストリームデータ＿３を回復し得る。
【００５８】
[0070]  図１０に表されるシステム１０００に対し、システム１１００において残りの導体のための共通の基準電位として使用される単一導体７０１‐７０４はないことに留意されるべきである。
【００５９】
[0071]  図１２は、いくつかの実施形態をふまえたＭＩＭＯトランシーバ１２００のブロック図である。トランシーバ１２００は、ケーブルインタフェース１２１０、プラットフォームインタフェース１２２０、ローカルプロセッサ１２３０、およびメモリ１２４０を含む。ケーブルインタフェース１２１０は、プロセッサ１２３０に結合され、プロセッサ１２３０によって規定された方法でデータケーブル（例えば、トワイナックスまたはツイストペア）を通してデータ信号を送信および／または受信するために使用され得る。プラットフォームインタフェース１２２０も、プロセッサ１２３０に結合され、コンピューティングプラットフォームにおよび／またはコンピューティングプラットフォームから（例えば、ＰＣＩｅリンクを介して）データを通信するために使用され得る。
【００６０】
[0072]  メモリ１２４０は、符号化および／または復号化されるためのデータを一時的にバッファするために使用され得るデータ記憶装置１２４２を含み得る。さらに、メモリ１２４０はまた、下記のソフトウェアモジュールを記憶することができる非一時的なコンピュータ可読記憶媒体（例えば、ＥＰＲＯＭ、ＥＥＰＲＯＭ（登録商標）、フラッシュメモリ、ハードドライブ、等のような１つ以上の不揮発性のメモリ要素）を含み得る。
【００６１】
・データケーブルを通したＭＩＭＯベースの送信のために下りデータ（outgoing data）を符号化するためのＭＩＭＯ符号化モジュール１２４４・データケーブルを通して受信されるＭＩＭＯ‐符号化されたデータ信号を復号化するためのＭＩＭＯ復号化モジュール１２４６各ソフトウェアモジュールは、ローカルプロセッサ１２３０によって実行される場合、トランシーバ１２００に、相当する機能を実施させ得る命令を含み得る。したがって、メモリ１２４０の非一時的なコンピュータ可読記憶媒体は、図５および９Ａ‐９Ｂに関して説明された動作の全部または一部を実施するための命令を含み得る。
【００６２】
[0073]  メモリ１２４０に結合されるローカルプロセッサ１２３０は、トランシーバ１２００に（例えば、メモリ１２４０内に）記憶される１つ以上のソフトウェアプログラムの命令のスクリプトを実行する能力がある任意の適切なプロセッサであり得る。例えば、プロセッサ１２３０は、ＭＩＭＯ符号化モジュール１２４４および／またはＭＩＭＯ復号化モジュール１２４６を実行することができる。
【００６３】
[0074]  ＭＩＭＯ符号化モジュール１２４４は、データケーブルを通して送信されるためのデータ信号を符号化するためにローカルプロセッサ１２３０によって実行され得る。例えば、ローカルプロセッサ１２３０によって実行される際に、ＭＩＭＯ符号化モジュール１２４４は、データケーブルを介して送信されるための、データのセットを受信し得（例えば、コンピューティングプラットフォームから）、データの複数のサブセットを作るためにデータセットを符号化する。いくつかの実施形態に関して、ＭＩＭＯ符号化モジュール１２４４を実行するときに、プロセッサ１２３０は、データ信号の多くの別個のおよび／または並行のセットとしてデータケーブルを通して送信されるために、受信されるデータセットを区切り得る。ＭＩＭＯ符号化モジュール１２４４を実行するときに、プロセッサ１２３０はその次に、データケーブルの少なくとも１つの導体素子（conductive element）が、同時に２つ以上のデータ信号の送信で使用されるように、データケーブルにおいてデータ信号を送信し得る（例えば、図５および９Ａ‐９Ｂに関して上記に説明されたように）。
【００６４】
[0075]  ＭＩＭＯ復号化モジュール１２４６は、データケーブルから受信されるデータを復号化するためにローカルプロセッサ１２３０によって実行され得る。例えば、ローカルプロセッサ１２３０によって実行されるとして、ＭＩＭＯ復号化モジュール１２４６は、データケーブルを通して、並行して、多くのデータ信号を受信し得、もともと送信されたデータセットを回復するためにデータ信号を復号化する。いくつかの実施形態に関して、ＭＩＭＯ復号化モジュール１２４６を実行するときに、プロセッサ１２３０は、データケーブルの導体素子の各々にわたって電圧をサンプリングすることによってデータ信号を受信し得、ここにおいて、導体素子のうちの少なくとも１つの電圧は、２つ以上のデータ信号と関連する電圧を決定するための共通の基準電位として使用される（例えば、図５および９Ａ‐９Ｂに関して上記に説明されたように）。ＭＩＭＯ復号化モジュール１２４６を実行するときに、プロセッサ１２３０はその次に、もとのデータセットを回復するためにＭＩＭＯ符号化モジュール１２４４によって使用された符号化アルゴリズムをふまえて受信されるデータ信号を組み合わせ得る。
【００６５】
[0076]  例示的な実施形態に関して本明細書に説明された多様な信号送信技法は、データケーブルに、従来型のデータ送信技法より高いデータレートを提供し得る。加えて、本実施形態のうちの少なくともいくつかは、より低いデータレートで送信する場合、トランシーバの実施および／またはケーブルのロスにおいてより緩和された要件を可能にし得る。本実施形態は、既存のハードウェアインフラストラクチャにほとんど修正せずにレガシーデータ通信システムでインプリメントされ得る。
【００６６】
[0077]  前述の明細書において、本実施形態は、その特定の例示的な実施形態に関連して説明された。しかしながら、添付の特許請求の範囲に記載の開示のより広い範囲から逸脱することなく、多様な修正および変更がそれになされ得ることは明らかであろう。結果的に、本明細書および図面は、限定的な意味ではなく、例示的な意味において考慮される。例えば、図５および９Ａ‐９Ｂの流れ図に図示された方法のステップは、他の適切なオーダーで実行され得、複数のステップは、単一のステップに組み合わせられ得、および／またはいくつかのステップは、除かれ得る。
以下に、本願出願の当初の特許請求の範囲に記載された発明を付記する。
［Ｃ１］
少なくとも第１の内部の導体、第２の内部の導体、および外部導体シールドを含むケーブルを通したデータ通信の方法であって、
前記第１の内部の導体および前記導体シールドを使用して第１のデータ信号を送信することと、そして、
少なくとも前記第２の内部の導体を使用して第２のデータ信号を送信することと、
を備える、前記方法。
［Ｃ２］
前記第１のおよび第２のデータ信号は、同時に送信される、Ｃ１に記載の方法。
［Ｃ３］
前記第２のデータ信号を送信することは、
前記第１のおよび第２の内部の導体を使用して前記第２のデータ信号を送信すること、
を備える、Ｃ１に記載の方法。
［Ｃ４］
前記第２のデータ信号は、差動信号であり、およびここにおいて、前記第１のデータ信号は、シングル‐エンド信号である、Ｃ３に記載の方法。
［Ｃ５］
前記第１のデータ信号を送信することは、
前記第１の内部の導体および前記導体シールドの間で第１の電圧差に適用すること、
を備える、Ｃ３に記載の方法。
［Ｃ６］
前記第２のデータ信号を送信することは、
前記第１のおよび第２の内部の導体の間で第２の電圧差に適用すること、
を備える、Ｃ５に記載の方法。
［Ｃ７］
前記第２のデータ信号を送信することは、
前記第２の内部の導体および前記導体シールドを使用して前記第２のデータ信号を送信すること、
を備える、Ｃ１に記載の方法。
［Ｃ８］
前記第１のおよび第２のデータ信号は、シングル‐エンド信号である、Ｃ７に記載の方法。
［Ｃ９］
前記第１のデータ信号を送信することは、
前記第１の内部の導体および前記導体シールドの間で第１の電圧差に適用すること、
を備える、Ｃ８に記載の方法。
［Ｃ１０］
前記第２のデータ信号を送信することは、
前記第２の内部の導体および前記導体シールドの間で第２の電圧差に適用すること、
を備える、Ｃ９に記載の方法。
［Ｃ１１］
前記第１のおよび第２の内部の導体を介して送信向けのデータのセットを受信することと、
データの第１のサブセットおよびデータの第２のサブセットにデータの前記セットを区切ることと、そして、
それぞれ、データの前記第１のおよび第２のサブセットに基づいて前記第１のおよび第２のデータ信号を生成すること、
をさらに備える、Ｃ１に記載の方法。
［Ｃ１２］
少なくとも第１の内部の導体、第２の内部の導体、および外部導体シールドを含むケーブルを通したデータ通信の方法であって、
前記第１の内部の導体および前記導体シールドを介して第１のデータ信号を受信することと、そして、
少なくとも前記第２の内部の導体を使用して第２のデータ信号を受信することと、
を備える、前記方法。
［Ｃ１３］
前記第１のおよび第２のデータ信号は、同時に受信される、Ｃ１２に記載の方法。
［Ｃ１４］
前記第２のデータ信号を受信することは、
前記第１のおよび第２の内部の導体を介して前記第２のデータ信号を受信すること、
を備える、Ｃ１２に記載の方法。
［Ｃ１５］
前記第２のデータ信号は、差動信号であり、およびここにおいて、前記第１のデータ信号は、シングル‐エンド信号である、Ｃ１４に記載の方法。
［Ｃ１６］
前記第１のデータ信号を受信することは、
前記第１の内部の導体および前記導体シールドの間の第１の電圧差を検出すること、
を備える、Ｃ１４に記載の方法。
［Ｃ１７］
前記第２のデータ信号を受信することは、
前記第１のおよび第２の内部の導体の間の第２の電圧差を検出すること、
を備える、Ｃ１６に記載の方法。
［Ｃ１８］
前記第２のデータ信号を受信することは、
前記第２の内部の導体および前記導体シールドを介して前記第２のデータ信号を受信すること、
を備える、Ｃ１２に記載の方法。
［Ｃ１９］
前記第１のおよび第２のデータ信号は、シングル‐エンド信号である、Ｃ１８に記載の方法。
［Ｃ２０］
前記第１のデータ信号を受信することは、
前記第１の内部の導体および前記導体シールドの間の第１の電圧差を検出すること、
を備える、Ｃ１９に記載の方法。
［Ｃ２１］
前記第２のデータ信号を受信することは、
前記第２の内部の導体および前記導体シールドの間の第２の電圧差を検出すること、
を備える、Ｃ２０に記載の方法。
［Ｃ２２］
それぞれ、データの第１のサブセットおよびデータの第２のサブセットを回復するために前記第１のデータ信号および前記第２のデータ信号を復号化することと、そして、
単一のデータストリームを作るためにデータの前記第１のサブセットおよびデータの前記第２のサブセットを組み合わせることと、
をさらに備える、Ｃ１２に記載の方法。
［Ｃ２３］
通信デバイスであって、
ケーブルに結合される符号器と、少なくとも第１の内部の導体、第２の内部の導体、および外部導体シールドを含む前記ケーブルと、ここにおいて、前記符号器は、
前記第１の内部の導体および前記導体シールドを使用して第１のデータ信号を送信する、そして、
少なくとも前記第２の内部の導体を使用して第２のデータ信号を送信する、
を備える、上記デバイス。
［Ｃ２４］
前記符号器は、同時に前記第１のおよび第２のデータ信号を送信する、Ｃ２３に記載のデバイス。
［Ｃ２５］
前記符号器は、前記第１のおよび第２の内部の導体を使用して前記第２のデータ信号を送信する、Ｃ２３に記載のデバイス。
［Ｃ２６］
前記第２のデータ信号は、差動信号であり、およびここにおいて、前記第１のデータ信号は、シングル‐エンド信号である、Ｃ２５に記載のデバイス。
［Ｃ２７］
前記符号器は、前記第１の内部の導体および前記導体シールドの間で第１の電圧差に適用することによって前記第１のデータ信号を送信する、Ｃ２５に記載のデバイス。
［Ｃ２８］
前記符号器は、前記第１のおよび第２の内部の導体の間で第２の電圧差に適用することによって前記第２のデータ信号を送信する、Ｃ２７に記載のデバイス。
［Ｃ２９］
前記符号器は、前記第２の内部の導体および前記導体シールドを使用して前記第２のデータ信号を送信する、Ｃ２３に記載のデバイス。
［Ｃ３０］
前記第１のおよび第２のデータ信号は、シングル‐エンド信号である、Ｃ２９に記載のデバイス。
［Ｃ３１］
前記符号器はさらに、
前記第１のおよび第２の内部の導体を介して送信向けのデータのセットを受信する、
データの第１のサブセットおよびデータの第２のサブセットにデータの前記セットを区切る、そして、
それぞれ、データの前記第１のおよび第２のサブセットに基づいて前記第１のおよび第２のデータ信号を生成する、Ｃ２３に記載のデバイス。
［Ｃ３２］
通信デバイスであって、
ケーブルに結合される復号器と、少なくとも第１の内部の導体、第２の内部の導体、および外部導体シールドを含む前記ケーブルと、ここにおいて、前記復号器は、
前記第１の内部の導体および前記導体シールドを介して第１のデータ信号を受信する、そして、
少なくとも前記第２の内部の導体を介して第２のデータ信号を受信する、
を備える、上記デバイス。
［Ｃ３３］
前記復号器は、同時に前記第１のおよび第２のデータ信号を受信する、Ｃ３２に記載のデバイス。
［Ｃ３４］
前記復号器は、前記第１のおよび第２の内部の導体を介して前記第２のデータ信号を受信する、Ｃ３２に記載のデバイス。
［Ｃ３５］
前記第２のデータ信号は、差動信号であり、およびここにおいて、前記第１のデータ信号は、シングル‐エンド信号である、Ｃ３４に記載のデバイス。
［Ｃ３６］
前記復号器は、前記第１の内部の導体および前記導体シールドの間の第１の電圧差を検出することによって前記第１のデータ信号を受信する、Ｃ３４に記載のデバイス。
［Ｃ３７］
前記復号器は、前記第１のおよび第２の内部の導体の間の第２の電圧差を検出することによって前記第２のデータ信号を受信する、Ｃ３６に記載のデバイス。
［Ｃ３８］
前記復号器は、前記第２の内部の導体および前記導体シールドを介して前記第２のデータ信号を受信する、Ｃ３２に記載のデバイス。
［Ｃ３９］
前記第１のおよび第２のデータ信号は、シングル‐エンド信号である、Ｃ３８に記載のデバイス。
［Ｃ４０］
前記復号器は、
それぞれ、データの第１のサブセットおよびデータの第２のサブセットを回復するために前記第１のデータ信号および前記第２のデータ信号を復号化する、そして、
単一のデータストリームを作るためにデータの前記第１のサブセットおよびデータの前記第２のサブセットを組み合わせる、Ｃ３２に記載のデバイス。
［Ｃ４１］
少なくとも第１の内部の導体、第２の内部の導体、および外部導体シールドを含むケーブルにおいて信号を送信するためのデバイスであって、
前記第１の内部の導体および前記導体シールドを使用して第１のデータ信号を送信するための手段、そして、
少なくとも前記第２の内部の導体を使用して第２のデータ信号を送信するための手段、
を備える、前記デバイス。
［Ｃ４２］
前記第１のおよび第２のデータ信号は、同時に送信される、Ｃ４１に記載のデバイス。
［Ｃ４３］
前記第２のデータ信号を送信するための前記手段は、
前記第１のおよび第２の内部の導体を使用して前記第２のデータ信号を送信するための手段、
を備える、Ｃ４１に記載のデバイス。
［Ｃ４４］
前記第２のデータ信号は、差動信号であり、およびここにおいて、前記第１のデータ信号は、シングル‐エンド信号である、Ｃ４３に記載のデバイス。
［Ｃ４５］
前記第１のデータ信号を送信するための前記手段は、
前記第１の内部の導体および前記導体シールドの間で第１の電圧差に適用するための手段、
を備える、Ｃ４３に記載のデバイス。
［Ｃ４６］
前記第２のデータ信号を送信するための前記手段は、
前記第１のおよび第２の内部の導体の間で第２の電圧差に適用するための手段、
を備える、Ｃ４５に記載のデバイス。
［Ｃ４７］
前記第２のデータ信号を送信するための前記手段は、
前記第２の内部の導体および前記導体シールドを使用して前記第２のデータ信号を送信するための手段、
を備える、Ｃ４１に記載のデバイス。
［Ｃ４８］
前記第１のおよび第２のデータ信号は、シングル‐エンド信号である、Ｃ４７に記載のデバイス。
［Ｃ４９］
前記第１のおよび第２の内部の導体を介して送信向けのデータのセットを受信するための手段、
データの第１のサブセットおよびデータの第２のサブセットにデータの前記セットを区切るための手段、そして、
それぞれ、データの前記第１のおよび第２のサブセットに基づいて前記第１のおよび第２のデータ信号を生成するための手段、
をさらに備える、Ｃ４１に記載のデバイス。
［Ｃ５０］
少なくとも第１の内部の導体、第２の内部の導体、および外部導体シールドを含むケーブルにおいて信号を受信するためのデバイスであって、
前記第１の内部の導体および前記導体シールドを介して第１のデータ信号を受信するための手段、そして、
少なくとも前記第２の内部の導体を使用して第２のデータ信号を受信するための手段、
を備える、前記デバイス。
［Ｃ５１］
前記第１のおよび第２のデータ信号は、同時に受信される、Ｃ５０に記載のデバイス。
［Ｃ５２］
前記第２のデータ信号を受信するための前記手段は、
前記第１のおよび第２の内部の導体を介して前記第２のデータ信号を受信するための手段、
を備える、Ｃ５０に記載のデバイス。
［Ｃ５３］
前記第２のデータ信号は、差動信号であり、およびここにおいて、前記第１のデータ信号は、シングル‐エンド信号である、Ｃ５２に記載のデバイス。
［Ｃ５４］
前記第１のデータ信号を受信するための前記手段は、
前記第１の内部の導体および前記導体シールドの間の第１の電圧差を検出するための手段、
を備える、Ｃ５２に記載のデバイス。
［Ｃ５５］
前記第２のデータ信号を受信するための前記手段は、
前記第１のおよび第２の内部の導体の間の第２の電圧差を検出するための手段、
を備える、Ｃ５４に記載のデバイス。
［Ｃ５６］
前記第２のデータ信号を受信するための前記手段は、
前記第２の内部の導体および前記導体シールドを介して前記第２のデータ信号を受信するための手段、
を備える、Ｃ５０に記載のデバイス。
［Ｃ５７］
前記第１のおよび第２のデータ信号は、シングル‐エンド信号である、Ｃ５６に記載のデバイス。
［Ｃ５８］
それぞれ、データの第１のサブセットおよびデータの第２のサブセットを回復するために前記第１のデータ信号および前記第２のデータ信号を復号化するための手段、そして、
単一のデータストリームを作るためにデータの前記第１のサブセットおよびデータの前記第２のサブセットを組み合わせるための手段、
をさらに備える、Ｃ５０に記載のデバイス。
【図１】
0006312684.tif 000002
【図２】
0006312684.tif 000003
【図３】
0006312684.tif 000004
【図４】
0006312684.tif 000005
【図５】
0006312684.tif 000006
【図６】
0006312684.tif 000007
【図７Ａ】
0006312684.tif 000008
【図７Ｂ】
0006312684.tif 000009
【図８】
0006312684.tif 000010
【図９Ａ】
0006312684.tif 000011
【図９Ｂ】
0006312684.tif 000012
【図１０】
0006312684.tif 000013
【図１１】
0006312684.tif 000014
【図１２】
0006312684.tif 000015